(57)【要約】【課題】折戸の開閉操作を円滑に行うことができ、かつ閉鎖時に折戸表面からの突出を無くすか少なくでき、更に折戸の開閉操作時の指詰め事故を無くした折戸隙間封鎖具とする。【解決手段】隙間封鎖具１は、断面視で、Ｌ字状を成し扉の連結部背面から連結部端面に至る隅部に固定される左右一対の取付板部１０Ａ、１０Ｂと、一方側取付板部１０Ａの連結部端面側端部に設けられた滑節部１３を介して連結された第１カバー板部１１と、他方側取付板部１０Ｂの連結部端面側端部に設けられた滑節部１４を介して連結された第２カバー板部１２とからなり、前記第１カバー板部１１の先端と第２カバー板部１２の先端とが滑節部１５を介して連結されている【選択図】図３
2010133098.tif 000002
【特許請求の範囲】
【請求項１】
左右の扉を蝶番によって折曲自在に連結した折戸において前記扉連結部の隙間を封鎖するための隙間封鎖具であって、
前記隙間封鎖具は、断面視で、Ｌ字状を成し扉の連結部背面から連結部端面に至る隅部に固定される左右一対の取付板部と、一方側取付板部の連結部端面側端部に設けられた滑節部を介して連結された第１カバー板部と、他方側取付板部の連結部端面側端部に設けられた滑節部を介して連結された第２カバー板部とからなり、前記第１カバー板部の先端と第２カバー板部の先端とが滑節部を介して連結されていることを特徴とする折戸の隙間封鎖具。
【請求項２】
前記左右一対の取付板部、第１カバー板部及び第２カバー板部は硬質樹脂からなり、前記滑節部は軟質樹脂から成り、これら各部材が一体成形されている請求項１記載の折戸の隙間封鎖具。
【請求項３】
折戸への取付状態で、扉を閉めた際、前記第１カバー板部の先端と第２カバー板部とを連結している滑節部が扉表面とほぼ同面か、扉表面よりも奥側に位置するように前記第１カバー板部及び第２カバー板部の幅を設定してある請求項１，２いずれかに記載の折戸の隙間封鎖具。
【請求項４】
前記請求項１〜３いずれかに記載の隙間封鎖具を折戸へ取り付けるための取付方法であって、
前記隙間封鎖具の第１カバー板部と第２カバー板部とを重ね合わせるように折り畳み、折戸の裏面側から前記扉連結部の隙間に挿入し、前記取付板部を折戸裏面にビス止めするか接着剤によって固定することを特徴とする隙間封鎖具の折戸への取付方法。
【発明の詳細な説明】
【技術分野】
【０００１】
本発明は、折戸において扉同士の連結部に生じる隙間を封鎖するための隙間封鎖具及び折戸への取付方法に関する。
【背景技術】
【０００２】
従来より、洋服タンス等の収納家具、クローゼット等の収納建具又は間仕切り戸に使用される折戸は、図９に示されるように、複数枚の扉５０，５０の側縁部分をお互いに蝶番５１、５１などにより連結して折り畳み自在とするとともに、取付け枠の上下枠部にそれぞれ上レール５２および下レール５３を取付け、たとえば折戸の戸元側上下部に前記上下レール５２，５３に嵌合され固定機構によりレールの所定位置に位置固定される軸受け金具５４，５５を設け、これら軸受け金具５４，５５によって折戸の上下端側ピボットを夫々回転自在に支持させるようにし、一方折戸の戸先側上下部には開閉に伴って上下レール５２，５３に沿って移動自在とされるランナ５６，５７を取付けて開閉自在としたものである。
【０００３】
前記折戸においては、扉連結部に折戸の開閉に伴って隙間が生じるが、この隙間に誤って指を挟んだ状態で扉が閉じられると、非常に大きな力で指が潰される事故が発生する危険性があるため、近年前記扉連結部の隙間を封鎖する装置が幾つか提案されている。
【０００４】
例えば、下記特許文献１では、折曲げ自在に連結された第１及び第２の扉を有する折戸の折曲部分を外側から覆うカバーと、このカバーと扉の連結部とを連結し、折戸の折曲げ時に生じる連結端部の回転に追従するジョイント機構を備えた折戸の隙間カバー装置が提案されている。
【０００５】
下記特許文献２では、折曲げ部を有する４枚の板状カバーからなるドアの指詰め防止カバーが提案されている。
【０００６】
下記特許文献３では、 複数のパネルを折曲自在に連結して形成されるドア体であって、該ドア体の折曲に伴って開閉する隣接パネル間の指詰めスペースを、可撓性を有する指詰め防止カバーで覆蓋するにあたり、該指詰め防止カバーは、隣接パネル間に亘って取付けられると共に、取付部間を繋ぐ可撓部の中間部位には、指詰めスペースの開口幅に略対応する幅を有した硬質部が形成され、かつ該硬質部の両端部内面側には、指詰めスペースが閉じる際、パネル体コーナー部との接当に基づいて硬質部を外方に押出ガイドする傾斜面が形成されているドア体の指詰め防止カバーが提案されている。
【０００７】
更に、下記特許文献４では、図１０に示されるように、第１及び第２の扉を折り曲げ自在に連結した折戸の、前記第１及び第２の扉の隙間を覆う折戸の隙間カバー装置であって、上記折戸の折曲部分を外側から覆うカバー６０と、このカバー６０の両側端部と前記第１及び第２の扉とをそれぞれ連結し、かつ、前記カバー６０及び前記扉に対し回動自在に配設された連結部６１，６１とを備え、前記折戸を閉めると、前記連結部６１，６１が、前記カバー６０を前記扉に接近あるいは当接した状態で支持する折戸の隙間カバー装置が提案されている。
【特許文献１】特開平８−１３９３３号公報
【特許文献２】特開平１０−１３１６０７号公報
【特許文献３】特許第３３５８０１１号公報
【特許文献４】特開２００３−３７６２号公報
【発明の開示】
【発明が解決しようとする課題】
【０００８】
しかしながら、前記特許文献１に係る隙間カバー装置の場合は、スライドピンが案内孔をスライドする機構とするものであり、スライド構造部分が構造的弱点となり易い。また、案内孔は直線で形成しているのに対して、スライドピンは円弧状の軌跡線で移動するため、摩擦が大きく折戸の開閉がスムーズに行われないなどの問題や、部品数が多く製作コストが嵩むなどの問題もあった。
【０００９】
前記特許文献２に係る指詰め防止カバーは、ドアの開度が約０〜９０度の範囲で開閉されるドアに適用されるものであり、約０〜１８０度の範囲で開閉される折戸に適用することは実質的に困難である。
【００１０】
前記特許文献３に係る指詰め防止カバーは、ドアを閉めた際に硬質部がドア表面から大きく突出し、外観が悪いなどの問題があった。
【００１１】
更に、前記特許文献４に係る隙間カバー装置は、図１０(ｂ)に示されるように、開閉途中でカバー６０が大きく外側に突出してしまうとともに、同図に鎖線で示したように、開閉途中でカバー６０と折戸との間に空間が生じるため、ここに指を差し入れたまま折戸を閉じると、指がカバー６０と折戸とによって挟まれてケガをすることがあるなどの問題があった。
【００１２】
そこで本発明の主たる課題は、簡単な構造であり製作コストも廉価で済むとともに、折戸の開閉操作を円滑に行うことができ、かつ閉鎖時に折戸表面からの突出を無くすか少なくでき、更に折戸の開閉操作時の指詰め事故を無くすことができる折戸の隙間封鎖具及び折戸への取付方法を提供することにある。
【課題を解決するための手段】
【００１３】
前記課題を解決するために請求項１に係る本発明として、左右の扉を蝶番によって折曲自在に連結した折戸において前記扉連結部の隙間を封鎖するための隙間封鎖具であって、
前記隙間封鎖具は、断面視で、Ｌ字状を成し扉の連結部背面から連結部端面に至る隅部に固定される左右一対の取付板部と、一方側取付板部の連結部端面側端部に設けられた滑節部を介して連結された第１カバー板部と、他方側取付板部の連結部端面側端部に設けられた滑節部を介して連結された第２カバー板部とからなり、前記第１カバー板部の先端と第２カバー板部の先端とが滑節部を介して連結されていることを特徴とする折戸の隙間封鎖具が提供される。
【００１４】
上記請求項１記載の発明は、隙間封鎖具を、左右一対の取付板部、第１カバー板部及び第２カバー板部の３部品から構成した単純な構造であるため、製作コストも廉価で済むようになる。また、スライドなどの可動部を有さず、屈曲動作のみであるため折戸の開閉操作も円滑に行うことが可能となる。
【００１５】
折戸が開閉操作されると、前記左右一対の取付板部の連結部端面に位置する２つのフランジ片と、第１カバー板部と第２カバー板部との４辺によって構成される四辺多角形状の中空断面が扉連結部の入隅部に形成されるようになるため、折戸の開閉時に指が入るような空間を生じさせないか、仮に指が扉の連結部端面と第１又は第２カバー板部の入隅部分に入ったとしても、扉が閉操作される過程で指が外側に押し出されるため、指詰め事故を無くすことができ安全に折戸を開閉操作できるようになる。
【００１６】
請求項２に係る本発明として、前記左右一対の取付板部、第１カバー板部及び第２カバー板部は硬質樹脂からなり、前記滑節部は軟質樹脂から成り、これら各部材が一体成形されている請求項１記載の折戸の隙間封鎖具が提供される。
【００１７】
上記請求項２記載の発明では、前記左右一対の取付板部、第１カバー板部及び第２カバー板部は硬質樹脂とし、前記滑節部は軟質樹脂として、これらを一体成形することによって製造するため、廉価なコストで大量生産が可能である。
【００１８】
請求項３に係る本発明として、折戸への取付状態で、扉を閉めた際、前記第１カバー板部の先端と第２カバー板部とを連結している滑節部が扉表面とほぼ同面か、扉表面よりも奥側に位置するように前記第１カバー板部及び第２カバー板部の幅を設定してある請求項１，２いずれかに記載の折戸の隙間封鎖具が提供される。
【００１９】
上記請求項３記載の発明は、折戸への取付状態で、扉を閉めた際、前記第１カバー板部の先端と第２カバー板部の先端とを連結している滑節部が扉表面とほぼ同面か、扉表面よりも奥側に位置するように前記第１カバー板部及び第２カバー板部の幅を設定するものである。従って、折戸の閉状態で、扉表面から隙間封鎖具が突出しないため、身体又は物が引っ掛かったりすることが無くなるとともに、折戸封鎖時の外観も良好となる。
【００２０】
請求項４に係る本発明として、前記請求項１〜３いずれかに記載の隙間封鎖具を折戸へ取り付けるための取付方法であって、
前記隙間封鎖具の第１カバー板部と第２カバー板部とを重ね合わせるように折り畳み、折戸の裏面側から前記扉連結部の隙間に挿入し、前記取付板部を折戸裏面にビス止めするか接着剤によって固定することを特徴とする隙間封鎖具の折戸への取付方法が提供される。
【００２１】
上記請求項４記載の発明は、本隙間封鎖具の折戸への取付方法を示したものである。本隙間封鎖具の場合は、上記取付手順により、新規折戸はもとより既設の折戸に対しても容易に取付けが可能である。
【発明の効果】
【００２２】
以上詳説のとおり本発明によれば、簡単な構造であり製作コストも廉価で済むとともに、折戸の開閉操作を円滑に行うことができ、かつ閉鎖時に折戸表面からの突出を無くすか少なくでき、更に折戸の開閉操作時の指詰め事故を無くすことができるなどの効果を奏することができる。
【発明を実施するための最良の形態】
【００２３】
以下、本発明の実施の形態について図面を参照しながら詳述する。
【００２４】
図１は本発明に係る隙間封鎖具１を装着した折戸２の斜視図であり、図２は隙間封鎖具１の斜視図、図３はその断面図、図４は折戸への取付け状態を示す横断面図である。
【００２５】
図示される折戸２は、図１に示されるように、左右の扉２Ａ、２Ｂを蝶番によって折曲自在に連結し、上下枠部にそれぞれ上レール３および下レール４を取付け、折戸２の扉２Ａ、２Ｂの先端側上部に前記上レール３を走行可能な上ランナを取付けるとともに、扉２Ａ、２Ｂの先端側下部に前記下レール４を走行可能な下ランナを取付けたものである。なお、折戸２には、折戸単体が自由に移動可能としたフリータイプと、折戸の一方を軸受け装置によって固定支持し、戸先側のみをレールに沿って移動可能とした固定タイプ、更にこれらを任意に切換可能とした兼用タイプとがあり、図示例はフリータイプである。
【００２６】
前記折戸２の開閉に伴って前記扉２Ａ、２Ｂの連結部に生じる隙間を封鎖するために、前記扉連結部に設置される隙間封鎖具１は、前記折戸２の縦寸法とほぼ同じ長さを有する長尺部材であり、詳細には図２〜図４に示されるように、断面視で、Ｌ字状を成し扉の連結部背面２ａから連結部端面２ｂに至る隅部に固定される左右一対の取付板部１０Ａ、１０Ｂと、一方側取付板部１０Ａの連結部端面側端部に設けられた滑節部１３を介して連結された第１カバー板部１１と、他方側取付板部１０Ｂの連結部端面側端部に設けられた滑節部１４を介して連結された第２カバー板部１２とからなり、前記第１カバー板部１１の先端と第２カバー板部１２の先端とが滑節部１５を介して連結されているものである。
【００２７】
前記左右一対の取付板部１０Ａ、１０Ｂ、第１カバー板部１１及び第２カバー板部１２はＡＢＳ樹脂，ポリ塩化ビニル，ポリプロピレンなどの硬質樹脂からなり、前記滑節部１３〜１５は塩素化エチレンコポリマー，ポリ塩化ビニル，ＥＶＡなどの軟質樹脂から成り、これら各部材が一体成形（２重成形）によって製造されている。
【００２８】
なお、本例では隙間封鎖具１の全部を樹脂によって製造するようにしたが、鋼材、アルミ材などの金属材によって製造するようにしてもよい。この場合、前記滑節部１３〜１５については、軸部を管部（巻き加工部）で外嵌させた蝶番構造とするか、ヒンジとなり得る軟質部材（軟質樹脂、ゴム等）を介在させて結合すればよい。
【００２９】
また、扉２Ａ、２Ｂへの固定のために、前記取付板部１０Ａ、１０Ｂの扉当接面側には、粘着剤１６が塗布されているとともに、この粘着剤層を覆う剥離紙１７が設けられている。前記粘着剤１６及び剥離紙１７としては、汎用的に両面テープを使用することができる。
【００３０】
図４に示されるように、折戸２への取付状態で、扉２Ａ、２Ｂを閉めた際、前記第１カバー板部１１の先端と、第２カバー板部１２の先端とを連結している滑節部１５が扉表面とほぼ同面か、扉表面よりも奥側に位置するように前記第１カバー板部１１及び第２カバー板部１２の幅を設定することが望ましい。
【００３１】
図５に折戸２への取付け状態斜視図を示すが、扉２Ａ、２Ｂは蝶番５，５によって折曲自在に連結されているため、蝶番に対応する部分、図示例では上下２箇所の蝶番対応部分については、取付板部１０Ａ、１０Ｂを切り欠いておき（切欠き部１ａ、１ｂ）、蝶番５，５を避けて設置するようにする。
【００３２】
前記隙間封鎖具１を折戸２へ取り付けるには、図６に示されるように、前記隙間封鎖具１の取付板部１０Ａ、１０Ｂの剥離紙１７，１７を取り外した後、第１カバー板部１１と第２カバー板部１２とを重ね合わせるように折り畳み、折戸２の裏面側から前記扉連結部の隙間に挿入した後、前記取付板部１０Ａ、１０Ｂを扉２Ａ、２Ｂの裏面に接着する。
【００３３】
なお、本形態例では、前記取付板部１０Ａ、１０Ｂの扉２Ａ、２Ｂへの固定方法として、粘着剤による方法を採用したが、取付板部１０Ａ、１０Ｂを貫くように、ビス（図示せず）を螺入させて扉２Ａ、２Ｂに固定するようにしてもよい。
【００３４】
次いで、図７(A)〜(C)に基づいて、折戸２の開閉に伴う隙間封鎖具１の動作を説明する。
【００３５】
図７(A)に示される折戸２の全閉状態では、第１カバー板部１１と第２カバー板部１２とが重ね合わせるように折り畳まれた状態で扉連結部の隙間に位置している。この状態から把手に手を掛けて折戸２を開くと、図７(B)に示されるように、前記取付板部１０Ａ、１０Ｂは、扉２Ａ、２Ｂに固定されているため、扉２Ａ、２Ｂの開閉角度に合わせて回動する。その際、取付板部１０Ａ、１０Ｂの連結部端面側端部に設けられた滑節部１３，１４が離間するため、第１カバー板部１１と第２カバー板部１２とが連結部端面から起立するように滑節部１３，１４で折れ曲がり、前記左右一対の取付板部１０Ａ、１０Ｂの連結部端面に位置する２つのフランジ片１０ａ、１０ｂと、第１カバー板部１１と第２カバー板部１２との４辺によって構成される四辺多角形状の中空断面が扉連結部の入隅部に形成されるようになるため、折戸の開閉時に指が入るような空間を生じさせないか、鎖線で示すように、仮に指が扉の連結部端面と第１又は第２カバー板部１１，１２の入隅部分に入ったとしても、扉２Ａ、２Ｂが閉操作される過程で指が外側に押し出されるため、指詰め事故を無くすことができ安全に折戸を開閉操作できるようになる。
【００３６】
図７(C)に示されるように、折戸２が全開状態（ほぼ１７０°）まで開かれた状態では、前記左右一対の取付板部１０Ａ、１０Ｂの連結部端面に位置する２つのフランジ片１０ａ、１０ｂと、第１カバー板部１１と第２カバー板部１２との４辺によって三角形状の中空断面が形成される。なお、折戸２を閉める際は、上記の逆動作となる。
【００３７】
〔その他の形態例〕
(1)上記形態例では、折戸への取付状態で、扉を閉めた際、前記第１カバー板部１１の先端と、第２カバー板部１２の先端とを連結している滑節部１５が扉表面とほぼ同面か、扉表面よりも奥側に位置するように前記第１カバー板部１１及び第２カバー板部１２の幅を設定したが、図８に示されるように、扉を閉めた際、前記第１カバー板部１１の先端と、第２カバー板部１２の先端とを連結している滑節部１５が扉表面から突出するようにしてもよい。この場合は、扉開閉時に、前記左右一対の取付板部１０Ａ、１０Ｂの連結部端面に位置する２つのフランジ片１０ａ、１０ｂと、第１カバー板部１１と第２カバー板部１２との４辺によって構成される四辺多角形状の中空断面を大きくすることができる。
【図面の簡単な説明】
【００３８】
【図１】本発明に係る隙間封鎖具１を装着した折戸２の斜視図である。
【図２】隙間封鎖具１の斜視図である。
【図３】隙間封鎖具１の断面図である。
【図４】隙間封鎖具１を折戸２に取り付けた状態を示す横断面図である。
【図５】隙間封鎖具１を折戸２に取り付けた状態を裏面側から見た扉連結部の斜視図である。
【図６】隙間封鎖具１の折戸２への取付要領図である。
【図７】折戸２の開閉に伴う隙間封鎖具１の動作図(A)〜(C)である。
【図８】隙間封鎖具１の他の形態例を示す図である。
【図９】従来の折戸を示す斜視図である。
【図１０】従来の隙間カバー装置を示す、動作図(a)〜(c)である。
【符号の説明】
【００３９】
１…隙間封鎖具、２…折戸、２ａ…扉の連結部背面、２ｂ…扉の連結部端面、２Ａ・２Ｂ…扉、３…上レール、４…下レール、１０Ａ・１０Ｂ…取付板部、１１…第１カバー板部、１２…第２カバー板部、１３・１４・１５…滑節部、１６…粘着剤、１７…剥離紙
【図１】
2010133098.tif 000003
【図２】
2010133098.tif 000004
【図３】
2010133098.tif 000005
【図４】
2010133098.tif 000006
【図５】
2010133098.tif 000007
【図６】
2010133098.tif 000008
【図７】
2010133098.tif 000009
【図８】
2010133098.tif 000010
【図９】
2010133098.tif 000011
【図１０】
2010133098.tif 000012